(57)【要約】【課題】板ガラスとガラスリブとが板ガラスの板面に直交する方向で互いに離間するように相対変位したときに、第２目地部に充填してある目地材が破損しにくいようにする。【解決手段】隣接する板ガラス３の端面どうしが対向している第１目地部１６と、第１目地部の目地幅Ｂ１よりも厚いガラスリブ２の側端面１４が、第１目地部側に対して、隣接する板ガラスの双方に亘って重なる状態で略平行に対向している第２目地部１７とに目地材４を充填してある板ガラスの目地構造であって、第２目地部に充填してある目地材を、隣接する板ガラスの端面どうしが対向している方向での左右に分断してある。【選択図】        図３
2004204489.tif 000002
【特許請求の範囲】
【請求項１】
隣接する板ガラスの端面どうしが対向している第１目地部と、前記第１目地部の目地幅よりも厚いガラスリブの側端面が、前記第１目地部側に対して、前記隣接する板ガラスの双方に亘って重なる状態で略平行に対向している第２目地部とに目地材を充填してある板ガラスの目地構造であって、
前記第２目地部に充填してある目地材を、前記隣接する板ガラスの端面どうしが対向している方向での左右に分断してある板ガラスの目地構造。
【請求項２】
前記第２目地部において、前記ガラスリブの厚み方向の中間部に、目地材に対して非接着性の表面を備えた非接着部材を目地長手方向に沿って配置して、前記第２目地部に充填してある目地材を、前記隣接する板ガラスの端面どうしが対向している方向での左右に分断してある請求項１記載の板ガラスの目地構造。
【請求項３】
前記第１目地部と前記第２目地部とを上下方向に沿って設け、前記非接着部材に上下方向に貫通する貫通孔を形成してある請求項２記載の板ガラスの目地構造。
【発明の詳細な説明】
【０００１】
【発明の属する技術分野】
本発明は、隣接する板ガラスの端面どうしが対向している第１目地部と、前記第１目地部の目地幅よりも厚いガラスリブの側端面が、前記第１目地部側に対して、前記隣接する板ガラスの双方に亘って重なる状態で略平行に対向している第２目地部とに目地材を充填してある板ガラスの目地構造に関する。
【０００２】
【従来の技術】
従来の板ガラスの目地構造においては、図１１に例示するように、第１目地部１６と第２目地部１７とに亘って目地材４を一連に隙間無く充填している（例えば、特許文献１参照) 。
図中、３は板ガラス、Ｂ１は第１目地部１６の目地幅、２はガラスリブ、１４はガラスリブ２の側端面である。
【０００３】
【特許文献１】
特開２００１−３３６２４４号公報
【０００４】
【発明が解決しようとする課題】
このため、ガラスリブ２と板ガラス３とが、風圧などで板ガラス３の板面に直交する方向で互いに離間するように相対変位したときに、第２目地部１７に充填してある目地材４に亀裂が生じて破損し易い欠点がある。
つまり、第１目地部１６と第２目地部１７とに亘って目地材４を一連に充填してあるガラスリブ２と板ガラス３とを、板ガラス３の板面に直交する方向で互いに離間するように相対変位させたときの、目地材４の応力状態を調べ、図１２に例示するような、目地材４の応力状態を示す最大主応力コンター図を得た。
図１２から分かるように、第２目地部１７に充填してある目地材４ａの略中央部に特に大きな応力が発生している部位Ａが存在しており、この部位Ａから亀裂が生じて破損に至ると考えることができる。
本発明は上記実情に鑑みてなされたものであって、ガラスリブと板ガラスとが板ガラスの板面に直交する方向で互いに離間するように相対変位したときに、第２目地部に充填してある目地材が破損しにくいようにすることを目的とする。
【０００５】
【課題を解決するための手段】
請求項１記載の発明の特徴構成は、隣接する板ガラスの端面どうしが対向している第１目地部と、前記第１目地部の目地幅よりも厚いガラスリブの側端面が、前記第１目地部側に対して、前記隣接する板ガラスの双方に亘って重なる状態で略平行に対向している第２目地部とに目地材を充填してある板ガラスの目地構造であって、前記第２目地部に充填してある目地材を、前記隣接する板ガラスの端面どうしが対向している方向での左右に分断してある点にある。
【０００６】
〔作用及び効果〕
第２目地部に充填してある目地材を、隣接する板ガラスの端面どうしが対向している方向での左右に分断してあるので、ガラスリブと板ガラスとが板ガラスの板面に直交する方向で互いに離間するように相対変位したときに、第２目地部に充填してある目地材が破損しにくい。
つまり、第２目地部に充填してある目地材を、隣接する板ガラスの端面どうしが対向している方向での左右に分断して、第１目地部に充填してある目地材に接着させていないガラスリブと板ガラスとを、板ガラスの板面に直交する方向で互いに離間するように相対変位させたときの、目地材の応力状態を調べ、図４に例示するような、目地材４の応力状態を示す最大主応力コンター図を得た。
図４から分かるように、第２目地部１７に充填してある目地材４ｂが、第１目地部１６に充填してある目地材４ａによって引っ張られるおそれが少なく、目地材４ｂのガラスリブ厚み方向に沿った部分において、特に大きな応力が局部的に集中して発生している部位が少なくなくなって、亀裂が生じにくくなったと考えることができる。
尚、容易に理解できるように図面を参照して説明したが、本発明は添付図面の構成に限定されるものではない。
【０００７】
請求項２記載の発明の特徴構成は、前記第２目地部において、前記ガラスリブの厚み方向の中間部に、目地材に対して非接着性の表面を備えた非接着部材を目地長手方向に沿って配置して、前記第２目地部に充填してある目地材を、前記隣接する板ガラスの端面どうしが対向している方向での左右に分断してある点にある。
【０００８】
〔作用及び効果〕
第２目地部において、ガラスリブの厚み方向の中間部に、目地材に対して非接着性の表面を備えた非接着部材を目地長手方向に沿って配置して目地材を充填することにより、第２目地部に充填してある目地材を、隣接する板ガラスの端面どうしが対向している方向での左右に分断した状態で容易に設けることができるとともに、目地材を第２目地部に隙間無く確実に充填できる。
【０００９】
請求項３記載の発明の特徴構成は、前記第１目地部と前記第２目地部とを上下方向に沿って設け、前記非接着部材に上下方向に貫通する貫通孔を形成してある点にある。
【００１０】
〔作用及び効果〕
雨水や結露水が、板ガラスやガラスリブの上部から、第２目地部に充填してある目地材の分断箇所に侵入するようなことがあっても、侵入した水を非接着部材に形成してある貫通孔を通して排出することが可能になる。
【００１１】
【発明の実施の形態】
以下に本発明の実施の形態を図面に基づいて説明する。尚、図面において従来例と同一の符号で表示した部分は、同一又は相当の部分を示している。
【００１２】
〔第１実施形態〕
図１〜図３は、建物外周部をフロア毎に設けたガラスパネル１で形成し、そのガラスパネル１を建物外面側に上下方向に沿って配設した複数のガラスリブ２で補強してあるガラスリブ固定構造を示す。
【００１３】
前記ガラスパネル１は、複数の強化板ガラス３を接着性の目地材４で接続するとともに、その上下両端部を、接着性の目地材４を介して、上下の床スラブ５側に固定したアルミサッシュ６で支持してある。
【００１４】
前記ガラスリブ２の各々は合わせ板ガラスで構成してあり、ガラスリブ２の長手方向端面に形成した切欠きに樹脂製の外力伝達部材７を嵌合して、その外力伝達部材７に挿通した連結ボルト８で、各ガラスリブ２の長手方向両端部を床スラブ５側に固定してある。
【００１５】
つまり、床スラブ５に固定したブラケット９にステンレス鋼製の支持アーム１０を溶接固定して、上下に隣り合うガラスリブ２の間に片持ち状に延出させるとともに、その支持アーム１０の先端部左右両側にステンレス鋼製の固定板材１１をボルト１２で固定して、その固定板材１１でガラスリブ２の長手方向端部の両側面をゴム板１３と共に挟み込み、固定板材１１と外力伝達部材７とに亘って挿通した連結ボルト８で固定板材１１どうしを連結して、各ガラスリブ２の長手方向両端部を床スラブ５側に固定してある。
【００１６】
そして、図２，図３に示すように、ガラスリブ２の側端面１４が強化板ガラス３どうしの突合せ部１５に沿って対向するように、ガラスパネル１に対して略直角の上下方向に配設して、隣接する強化板ガラス３の端面どうしが上下方向に沿って略平行に対向している第１目地部１６と、第１目地部１６の目地幅Ｂ１よりも厚いガラスリブ２の側端面１４が、第１目地部１６側に対して、隣接する強化板ガラス３の双方に亘って重なる状態で、上下方向に沿って略平行に対向している第２目地部１７とに接着性の目地材４（４ａ，４ｂ) を充填してある板ガラスの目地構造を設けてある。
【００１７】
前記板ガラスの目地構造では、図３に示すように、第２目地部１７において、ガラスリブ２の厚み方向の中間部に、目地材４（４ａ，４ｂ) に対して非接着性の表面１８を備えた非接着部材１９を目地長手方向に沿って配置して、第２目地部１７に充填してある第２目地材４ｂを、第１目地部１６側に対向する箇所において、非接着部材１９を挟んで、隣接する強化板ガラス３の端面どうしが対向している方向での左右に分断してある。
【００１８】
前記非接着部材１９は、硬質シリコーンゴム製基材２０の目地材４（４ａ，４ｂ) 側に臨ませる側面の全面に、フッ素樹脂やポリエステル樹脂，ポリプロピレン樹脂などのポリオレフィン系樹脂製の絶縁テープ２１を貼り付けて非接着性を備えさせてあり、強化板ガラス３の板面に沿う方向の幅が第１目地部１６の目地幅Ｂ１よりも若干狭く、強化板ガラス３の板面に直交する方向の幅が第２目地部１７の目地幅Ｂ２よりも若干広い矩形の横断面形状に形成してある。
【００１９】
そして、基材２０のガラスリブ側に臨ませた非接着性を備えていない側面をＳＡＧ接着材２２などでガラスリブ２の側端面１４に接着して、非接着部材１９を第１目地部１６側に若干入り込ませた状態でガラスリブ２及び強化板ガラス３の上下両端に亘って一連に配置し、第１目地部１６の目地材４ａと第２目地部１７の目地材４ｂとを互いに接着しないように隙間２３を設けて充填してある。
【００２０】
前記第１目地部１６には、２成分形・アルコール型の低モデュラスの目地材４ａを充填してあり、第２目地部１７には、２成分形・アルコール型の中モデュラスの目地材４ｂを充填してある。
【００２１】
図４の最大主応力コンター図は、上記目地構造について、ガラスリブ２とガラスパネル１とを、強化板ガラス３の板面に直交する方向で互いに離間するように相対変位させたときの、目地材４（４ａ，４ｂ) の応力状態を示している。
【００２２】
〔第２実施形態〕
図５は、板ガラスの目地構造の別実施形態を示し、上下方向に貫通する横断面形状が丸い貫通孔２４を中心部に形成してある非接着部材１９を、ガラスリブ２及び強化板ガラス３の上下両端に亘って一連に配置して、第１目地部１６と第２目地部１７とに目地材４ａ，４ｂを充填してある。
その他の構成は第１実施形態と同様である。
【００２３】
〔第３実施形態〕
図６は、板ガラスの目地構造の別実施形態を示し、断面形状が、強化板ガラス３の板面に沿う方向の底辺の幅が第１目地部１６の目地幅Ｂ１と略同じで、強化板ガラス３の板面に直交する方向の高さが第２目地部１７の目地幅Ｂ２と略同じ二等辺三角形の非接着部材１９を配置してあり、この非接着部材１９は、基材２０の周面に全面に亘って絶縁テープ２１を貼り付けて非接着性を備えさせてある。
【００２４】
そして、非接着部材１９の底辺側で第１目地部１６の第２目地部１７側を塞ぎ、非接着部材１９の頂部がガラスリブ２の側端面１４に接触するように、非接着部材１９を第２目地部１７に配置して、第１目地部１６の目地材４ａと第２目地部１７の目地材４ｂとを互いに接着しないように充填し、第２目地部１７に充填してある目地材４ｂを、非接着部材１９を挟んで、隣接する強化板ガラス３の端面どうしが対向している方向での左右に分断してある。
その他の構成は第１実施形態と同様である。
【００２５】
〔第４実施形態〕
図７は、板ガラスの目地構造の別実施形態を示し、絶縁テープなどのシート状の非接着部材１９の幅方向一端側をガラスリブ２の側端面１４に接着して、第２目地部１７の目地幅方向に沿う姿勢で幅方向他端側が第１目地部１６側に臨むように配置し、第１目地部１６の目地材４ａと、第２目地部１７の目地材４ｂとを互いに部分的に接着するように充填して、第２目地部１７に充填してある目地材４ｂを、非接着部材１９を挟んで、隣接する強化板ガラス３の端面どうしが対向している方向での左右に分断してある。
その他の構成は第１実施形態と同様である。
【００２６】
〔第５実施形態〕
図８は、板ガラスの目地構造の別実施形態を示し、第２目地部１７において、ガラスリブ２の厚み方向の中間部に、強化板ガラス３の板面に沿う方向の幅が第１目地部１６の目地幅Ｂ１と略同幅で、強化板ガラス３の板面に直交する方向の幅が第２目地部１７の目地幅Ｂ２よりも若干広い矩形の空隙２５が、ガラスリブ２及び強化板ガラス３の上下両端に亘って一連に形成されるように、第１目地部１６と第２目地部１７とに目地材４ａ，４ｂを充填して、第２目地部１７に充填してある目地材４ｂを、空隙２５を挟んで、隣接する強化板ガラス３の端面どうしが対向している方向での左右に分断してある。
その他の構成は第１実施形態と同様である。
【００２７】
〔第６実施形態〕
図９は、板ガラスの目地構造の別実施形態を示し、第２目地部１７において、ガラスリブ２の厚み方向の中間部に、強化板ガラス３の板面に沿う方向の幅が第１目地部１６の目地幅Ｂ１よりも若干広く、強化板ガラス３の板面に直交する方向の幅が第２目地部１７の目地幅Ｂ２と略同幅の矩形の空隙２５がガラスリブ２及び強化板ガラス３の上下両端に亘って一連に形成されるように、第１目地部１６と第２目地部１７とに目地材４ａ，４ｂを充填して、第２目地部１７に充填してある目地材４ｂを、空隙２５を挟んで、隣接する強化板ガラス３の端面どうしが対向している方向での左右に分断してある。
その他の構成は第１実施形態と同様である。
【００２８】
〔第７実施形態〕
図１０は、板ガラスの目地構造の別実施形態を示し、第２目地部１７において、ガラスリブ２の厚み方向の中間部に、強化板ガラス３の板面に沿う方向の幅が第１目地部１６の目地幅Ｂ１よりも若干狭く、強化板ガラス３の板面に直交する方向の幅が第２目地部１７の目地幅Ｂ２と略同幅の矩形の空隙２５がガラスリブ２及び強化板ガラス３の上下両端に亘って一連に形成されるように、第１目地部１６と第２目地部１７とに目地材４ａ，４ｂを充填して、第１目地部１６の目地材４ａと第２目地部１７の目地材４ｂとが互いに部分的に接着する状態で、第２目地部１７に充填してある目地材４ｂを、空隙２５を挟んで、隣接する強化板ガラス３の端面どうしが対向している方向での左右に分断してある。
その他の構成は第１実施形態と同様である。
【００２９】
〔その他の実施形態〕
１．本発明による板ガラスの目地構造は、第２目地部に充填してある目地材を、第２目地部の目地幅方向の一部において、隣接する板ガラスの端面どうしが対向している方向での左右に分断してあっても良い。
２．本発明による板ガラスの目地構造は、第１目地部と第２目地部とに同じ目地材を充填してあっても良い。
３．本発明による板ガラスの目地構造は、建物内側を仕切る板ガラスの目地構造であっても良い。
４．本発明による板ガラスの目地構造おける板ガラス及びガラスリブは、実施形態で示したものに限定されず、フロートガラス，強化ガラス，合わせガラス，複層ガラスなどのいずれであっても良く、その品種や構成は限定されない。
【図面の簡単な説明】
【図１】ガラスリブ固定構造の一部断面側面図
【図２】要部の横断面図
【図３】要部の拡大横断面図
【図４】目地材の応力状態を示す最大主応力コンター図
【図５】第２実施形態を示す要部の拡大横断面図
【図６】第３実施形態を示す要部の拡大横断面図
【図７】第４実施形態を示す要部の拡大横断面図
【図８】第５実施形態を示す要部の拡大横断面図
【図９】第６実施形態を示す要部の拡大横断面図
【図１０】第７実施形態を示す要部の拡大横断面図
【図１１】従来の板ガラスの目地構造を示す拡大断面図
【図１２】従来の目地材の応力状態を示す最大主応力コンター図
【符号の説明】
２    ガラスリブ
３    板ガラス
４    目地材
１４  側端面
１６  第１目地部
１７  第２目地部
１８  非接着性の表面
１９  非接着部材
２４  貫通孔
Ｂ１  第１目地部の目地幅
【図１】
2004204489.tif 000003
【図２】
2004204489.tif 000004
【図３】
2004204489.tif 000005
【図４】
2004204489.tif 000006
【図５】
2004204489.tif 000007
【図６】
2004204489.tif 000008
【図７】
2004204489.tif 000009
【図８】
2004204489.tif 000010
【図９】
2004204489.tif 000011
【図１０】
2004204489.tif 000012
【図１１】
2004204489.tif 000013
【図１２】
2004204489.tif 000014